(57)【要約】【目的】  本考案は大小様々なサイズの尿取りパッドを装着で、しかも尿取りパッド外に排泄されてしまうことを可及的に防止できる尿取りパッドホルダーを提供することを目的とする。【構成】  上記課題を解決するために請求項２記載の考案は、使用時に着用者の背中側に位置する背側部、腹側に位置する腹側部及び該背側部と該腹側部との間に位置する股下部を有しており、前記背側部の両側縁部にそれぞれウエストバンド部が連設された略Ｔ字状をなす尿取りパッドホルダーにおいて、背側部のほぼ全面及び腹側部のほぼ全面にわたり、開口縁部が湾曲形状をなすポケット部を設けた。又請求項４記載の考案は、着用者の下半身に装着されるパンツ型の尿取りパッドホルダーにいおて、前身頃部のほぼ全面及び後身頃部のほぼ全面にわたり、開口縁部が湾曲形状をなすポケット部を設けた。【選択図】        図１
0003111316.tif 000002
【実用新案登録請求の範囲】
【請求項１】
使用時に着用者の背中側に位置する背側部、腹側に位置する腹側部及び該背側部と該腹側部との間に位置する股下部を有しており、前記背側部の両側縁部にそれぞれウエストバンド部が連設された略Ｔ字状をなす尿取りパッドホルダーにおいて、背側部及び腹側部に、開口縁部が湾曲形状をなすポケット部を設けたことを特徴とする尿取りパッドホルダー。
【請求項２】
開口縁部が湾曲形状をなすポケット部を、背側部のほぼ全面及び腹側部のほぼ全面にわたり設けたことを特徴とする請求項１記載の尿取りパッドホルダー。
【請求項３】
着用者の下半身に装着されるパンツ型の尿取りパッドホルダーであって、前身頃部及び後身頃部に、開口縁部が湾曲形状をなすポケット部を設けたことを特徴とする尿取りパッドホルダー。  
【請求項４】
開口縁部が湾曲形状をなすポケット部を、前身頃部のほぼ全面及び後身頃部のほぼ全面にわたり設けたことを特徴とする請求項３記載の尿取りパッドホルダー。
【考案の詳細な説明】
【技術分野】
【０００１】
本考案は要介護者や失禁者等の排泄物を吸収保持するために使用される尿取りパッドを装着する目的で使用される尿取りパッドホルダーに関する。
【背景技術】
【０００２】
高齢者や病人、身体障害者などで自力でトイレにおいて排泄を行えない者や失禁してしまう者などは、ホルダーを用いて尿取りパッドを装着することが多い。
【０００３】
係る尿取りパッドホルダーとしては、着用者の腰回りにウエストバンド部を巻き付けて装着する略Ｔ字形状を呈する展開型のもの及びパンツ型のものが知られている。
【０００４】
又尿取りパッドホルダーに関する特許文献として、例えば特開２００２−３４５８９３号公報がある。ここに同公報記載の発明はショーツ本体の股下部に被覆部材を着脱自在に設け、股下部と被覆部材との間に吸収性部材を保持できるようにしたものである。
【特許文献１】特開２００２−３４５８９３号公報
【考案の開示】
【考案が解決しようとする課題】
【０００５】
尿取りパッドホルダーにおいては尿取りパッドがずれないように固定する必要がある。そこで前述公報記載の発明のように被覆部材を設けることでポケット状の空間を作り、該空間に尿取りパッドを装備するといった方法が採られることになる。
【０００６】
ところが尿取りパッドには着用者の体格や使用目的などにより大小様々なサイズのものがある。しかるに従来の尿取りパッドホルダーでは、多様なサイズの尿取りパッドに対応できないことが多かった。
【０００７】
又個人間の肛門位置の差異や男性における陰茎の位置の差異により排泄物が尿取りパッド外に排出されてしまい、パッドホルダーを汚してしまうという問題点もあった。
【０００８】
そこで本考案は大小様々なサイズの尿取りパッドを装着で、しかも尿取りパッド外に排泄されてしまうことを可及的に防止できる尿取りパッドホルダーを提供することを目的とする。
【課題を解決するための手段】
【０００９】
上記課題を解決するために請求項１記載の考案は、使用時に着用者の背中側に位置する背側部、腹側に位置する腹側部及び該背側部と該腹側部との間に位置する股下部を有しており、前記背側部の両側縁部にそれぞれウエストバンド部が連設された略Ｔ字状をなす尿取りパッドホルダーにおいて、背側部及び腹側部に、開口縁部が湾曲形状をなすポケット部を設けた。
【００１０】
又請求項２記載の考案は請求項１記載の考案におけるポケット部を、背側部のほぼ全面及び腹側部のほぼ全面にわたり設けた。
【００１１】
更に請求項３記載の考案は、着用者の下半身に装着されるパンツ型の尿取りパッドホルダーにおいて、前身頃部及び後身頃部に、開口縁部が湾曲形状をなすポケット部を設けた。
【００１２】
又請求項４記載の考案は請求項３記載の考案におけるポケット部を前身頃部のほぼ全面及び後身頃部のほぼ全面にわたり設けた。
【考案の効果】
【００１３】
一、  以下考案の奏する効果を図面を参照しながら述べる。
【００１４】
図１は請求項１又は２記載の考案の正面図であり、図２は同Ｘ−Ｘ線における切断端面図であり、図３は使用状態を示す参考図であり、図４は請求項３又は４記載の考案の正面図であり、図５は同展開図であり、図６はＹ−Ｙ線における拡大断面図であり、図７は尿取りパッドの斜視図である。
【００１５】
二、  図１に示すように請求項１又は２記載の尿取りパッドホルダー１０は、略Ｔ字状を呈する展開型のものである。具体的に使用方法は図３に示すようにポケット部に尿取りパッド３０を収納した状態で着用者の背中側から腹側にウエストバンド部１８を廻し、ウエストバンド部１８，１８同士を接合して尿取りパッドホルダー１０全体を固定する。そのうえで背中側から股間を通して腹側部１３を着用者の体前面に持ってきて、腹側部１３とウエストバンド部１８を接合保持することで着用状体を維持するものである。
【００１６】
そして本考案においては尿取りパッドホルダー１０の背側部１１及び腹側部１３に、図２に示されるポケット部１６，１７が設けられている。殊に請求項２記載の考案においては背側部１１のほぼ全面及び腹側部１３のほぼ全面にわたり、ポケット部１６，１７が設けられている。このポケット部１６，１７それぞれの開口部１４，１５から図７に示される尿取りパッド３０の両サイド部３１，３２を緩挿収納するのである。
【００１７】
かようにポケット部１６，１７が大きな空間を有するものであるがゆえに、小型の尿取りパッドのみならず大型の尿取りパッドをも収納することが可能となるのである。
【００１８】
又ポケット部１６の開口縁部１４ａ及びポケット部１７の開口縁部１５ａ共に湾曲形状をなしているがゆえに、例えば開口縁部が直線形状をなしている場合に比して陰茎や肛門の位置如何に関わらず、排泄物が尿取りパッド外に排泄されることを可及的に防止できるのである。
【００１９】
三、  図４に示すように請求項３又は４記載の尿取りパッドホルダー２０はパンツ型形状を有するものである。具体的使用方法は図５，図６に示される前身頃部２１に設けられたポケット部２６及び後身頃部２３に設けられたポケット部２７（請求項４記載の考案においては、前身頃部２１のほぼ全面に設けられたポケット部２６及び後身頃部２３のほぼ全面に設けられたポケット部２７）それぞれの開口部２４，２５から、図７に示される尿取りパッド３０の両サイド部３１，３２を緩挿収納するのである。
【００２０】
かようにポケット部２６，２７が大きな空間を有するものであるがゆえに、小型の尿取りパッドのみならず大型の尿取りパッドをも収納することが可能となるのである。
【００２１】
又ポケット部２６の開口縁部２４ａ及びポケット部２７の開口縁部２５ａ共に湾曲形状をなしているがゆえに、例えば開口縁部が直線形状をなしている場合に比して陰茎や肛門の位置如何に関わらず、排泄物が尿取りパッド外に排泄されることを可及的に防止できるのである。
【００２２】
四、  請求項１乃至４記載の考案いずれにおいても、尿取りパッドの周縁部の一部がポケット部内に収納されるので、周縁部が皮膚に触れることに伴う着用者の違和感を若干軽減できるという利点も有するものである。
【考案を実施するための最良の形態】
【００２３】
一、  以下好ましい考案の実施形態につき述べる。
【００２４】
二、  図１及び図２に示される請求項１又は２に記載の尿取りパッドホルダー１０は、使用時に着用者の背中側に位置する背側部１１，腹側に位置する腹側部１３及び該背側部１１と該腹側部１３との間に位置する股下部１２を有しており、前記背側部１１の両縁部にそれぞれウエストバンド部１８，１８が連設されている。そして全体として略Ｔ字状をなすものである。
【００２５】
一方のウエストバンド部１８の正面側及び腹側部１３の下端正面側には雄型の面ファスナ１９が設けてある。又図示されていないがウエストバンド部１８，１８の背面側には、雌型の面ファスナがほぼ全面に設けてある。これらの面ファスナはウエストバンド部１８同士を接合固定し、又腹側部１３とウエストバンド部１８を接合固定するために設けてある。
【００２６】
又、背側部１１から腹側部１３に至る長手方向の両側縁部は立体ギャザーを形成させることが好ましい。尿漏れを防止するためである。
【００２７】
ポケット部１６，１７の形成方法は、それぞれ布片を背側部１１及び腹側部１３に逢着することによる。ポケット部１６，１７の大きさは縫合部位を代えることで適宜変更することが可能である。例えば請求項２記載の考案のように背側部１１及び腹側部１３のほぼ全面にわたるポケット部１６，１７を形成する場合には、図１における仮想縫合線Ｂに沿って、すなわち背側部１１，腹側部１３の周縁部で縫合すればよい。
【００２８】
ポケット部１６，１７における開口部１４，１５はむろん縫合されておらず尿取りパッドの装入が可能なものである。ポケット部１６の開口縁部１４ａは図１に示すように正面視した状態で上方に湾曲して設けてある。又ポケット部１７の開口縁部１５ａは図１に示すように正面視した状態で下方に湾曲して設けてある。
【００２９】
三、  図４乃至図６に示される請求項３又は４に記載の尿取りパッドホルダー２０は、前身頃部２１，後身頃部２３及び該前身頃部２１と該後身頃部２３の間に位置する股下部２２で形成されるパンツ形状体である。
【００３０】
使用時に着用者の大腿部が入る開口脚部２８の周縁には、図示されていないが尿漏れを防止するために立体ギャザーを設けてもよい。又着用者の胴回りに当たる前身頃部２１の端縁部（図５でいえば下端）及び後身頃部２３の端縁部（図５でいえば上端）には、ゴム等の弾性部材を設けることが好ましい。ずれ落ちを防止するためである。
【００３１】
図５は図４の尿取りパッドホルダー２０を両側部で分離した展開図である。係る図５において示されるポケット部２６，２７の形成方法は、それぞれ布片を前身頃部２１及び後身頃部２３に逢着することによる。ポケット部２６，２７の大きさは縫合部位を代えることで適宜変更することが可能である。例えば請求項４記載の考案のように前身頃部２１及び後身頃部２３のほぼ全面にわたるポケット部２６，２７を形成する場合には、図５における仮想縫合線Ｃに沿って、すなわち前身頃部２１，後身頃部２３の周縁部で縫合すればよい。
【００３２】
ポケット部２６，２７における開口部２４，２５はむろん縫合されておらず尿取りパッドの装入が可能なものである。ポケット部２６の開口縁部２４ａは図５に示すように正面視した状態で下方に湾曲して設けてある。又ポケット部２７の開口縁部２５ａは図５に示すように正面視した状態で上方に湾曲して設けてある。
【００３３】
四、  以上の請求項１乃至４記載の考案の素材としては、綿等の天然繊維でもあるいは合成繊維でも構わないし、不織布あるいは紙製でも構わない。又性質としては防水性生地でも、あるいは防水性を付与されていない生地であっても構わない。
【図面の簡単な説明】
【００３４】
【図１】請求項１又は２に記載の考案の正面図。
【図２】同Ｘ−Ｘ線における切断端面図。
【図３】使用状態を示す参考図。
【図４】請求項３又は４に記載の考案の正面図。
【図５】同展開図。
【図６】Ｙ−Ｙ線における拡大断面図。
【図７】尿取りパッドの斜視図。
【符号の説明】
【００３５】
１１・・背側部      １３・・腹側部
１４ａ、１５ａ・・開口縁部      
１６、１７・・ポケット部
２１・・前身頃部      ２３・・後身頃部
２４ａ、２５ａ・・開口縁部
２６、２７・・ポケット部
【図１】
0003111316.tif 000003
【図２】
0003111316.tif 000004
【図３】
0003111316.tif 000005
【図４】
0003111316.tif 000006
【図５】
0003111316.tif 000007
【図６】
0003111316.tif 000008
【図７】
0003111316.tif 000009